(57)【要約】【課題】初期設定の作業の手間を省き、各子機によって空調制御が行われる区域と実際にその子機が設置されている区域との対応関係の間違いを低減する。【解決手段】全館空調システム（１０）は、空調ユニット（２０）と親機（３０）と複数の子機（４０）とを備える。子機は、当該子機が設置された区域の環境情報を取得する環境情報取得部（４１、４２、４３）を有する。親機は、初期設定として、各子機と協働して、空調ユニットを動作させて各区域のうち一の区域について空調を行い一の区域の環境を変化させる環境変化処理と、各子機のうち環境情報取得部で取得した環境情報が変化した子機を特定する子機特定処理と、環境変化処理で空調を行なった一の区域を子機特定処理で特定された子機の設置区域に割り付ける区域割付処理と、を実行する。【選択図】図１
2019015460.tif 000002
【特許請求の範囲】
【請求項１】
複数の区域に対して個別に空調可能な空調ユニットと、
前記空調ユニットに対して各前記区域の空調に関する制御内容を指示する親機と、
前記親機と通信可能であって各前記区域に設置されユーザから入力された制御内容を前記親機に送信する複数の子機と、を備え、
前記子機は、当該子機が設置された前記区域の環境情報を取得する環境情報取得部を有し、
前記親機は、各前記子機と各前記子機が設置された各区域とを紐付けする初期設定として、各前記子機と協働して、
前記空調ユニットを動作させて各前記区域のうち一の区域について空調を行い前記一の区域の環境を変化させる環境変化処理と、
各前記子機のうち前記環境情報取得部で取得した環境情報が変化した子機を特定する子機特定処理と、
前記環境変化処理で空調を行なった前記一の区域を前記子機特定処理で特定された子機の設置区域に割り付ける区域割付処理と、
を実行する全館空調システム。
【請求項２】
前記子機は、前記環境情報取得部として、温度センサ、気圧センサ、又は湿度センサの少なくともいずれか１つを有している、
請求項１に記載の全館空調システム。
【請求項３】
前記親機は、前記子機特定処理において２以上の子機を特定した場合又は所定期間を経過しても１つの子機も特定されない場合には、前記区域割付処理を行うことなく、前記環境変化処理において環境を変化させた区域について前記初期設定を再度行う、
請求項１又は２に記載の全館空調システム。
【請求項４】
前記親機は、各前記子機から受信した前記環境情報の変化がすべて所定範囲内で安定したことを条件として前記環境変化処理を実行する、
請求項１から３のいずれか一項に記載の全館空調システム。
【発明の詳細な説明】
【技術分野】
【０００１】
本発明の実施形態は、１つの空調ユニットで家屋の複数の区域を空調する全館空調システムに関する。
【背景技術】
【０００２】
従来、全館空調システムにおいて、空調ユニットの制御内容を操作するためのリモコンとして、１つの区域に親機を設置し、他の区域にそれぞれ子機を設置するものがある。親機は、全区域についての空調を指示可能な装置である。また、子機は、設置された区域の空調を担当区域とし、その担当区域についての空調を指示可能な装置である。この場合、子機は、ユーザによって入力された設定内容を、親機へ送信する。そして、親機は、子機から受信した設定内容に従って、空調ユニットを制御する。これにより、ユーザは、子機を操作することで、親機を操作することなく、その子機が設置されている区域の空調を制御することができる。
【０００３】
このような構成では、各子機の操作によって空調制御が行われる区域と実際にその子機が設置されている区域との対応関係を、初期設定として予め正しく設定する必要がある。この初期設定が正しく行われていないと、例えばユーザがある区域の空調を制御しようとして、その区域に設置されている子機を操作した場合に、誤って他の区域の空調が制御されてしまう、という事態が生じるからである。
【０００４】
そのため、従来構成では、初期設定をする際に、ユーザはまず、空調ユニットによって制御される制御区域が、実際にどの区域に割り当てられているか、すなわち、空調ユニットの空調ダクトが実際にどの部屋に繋がっているかを把握する。この制御区域の把握は、例えば親機を操作する者と、各区域において空調の動作を確認する者とを個別に配置し、親機を操作して実際に空調ユニットを動作させることで行なっていた。そして、ユーザは、親機及び子機を操作し、親機に各子機と各区域とを紐付けして記憶させることで、各子機について設置予定の区域つまり担当区域を設定し、その後、その設定した担当区域に従って各子機を設置する、という作業を行っていた。
【０００５】
しかしながら、このような従来構成では、各子機は、担当区域の設定後に実際にその担当区域に設置される。このため、ユーザが、子機を誤って異なる区域に設置してしまうことがあった。更には、空調ユニットの制御区域の把握には、上述したように少なくとも２人の作業者が必要であり、また、その作業者がいちいち親機を操作して空調の動作を確認しなければならないため、空調ユニットの制御区域の把握に手間も要していた。
【先行技術文献】
【特許文献】
【０００６】
【特許文献１】特開２０１６−１４３２７５号公報
【発明の概要】
【発明が解決しようとする課題】
【０００７】
本発明は上記事情に鑑みてなされたものであり、その目的は、初期設定において、作業の手間を省くとともに、各子機によって空調制御が行われる区域と実際にその子機が設置されている区域との対応関係の間違いを低減することができる全館空調システムを提供することにある。
【課題を解決するための手段】
【０００８】
（請求項１）
請求項１の全館空調システムは、複数の区域に対して個別に空調可能な空調ユニットと、前記空調ユニットに対して各前記区域の空調に関する制御内容を指示する親機と、前記親機と通信可能であって各前記区域に設置されユーザから入力された制御内容を前記親機に送信する複数の子機と、を備える。前記子機は、当該子機が設置された前記区域の環境情報を取得する環境情報取得部を有している。前記親機は、各前記子機と各前記子機が設置された各区域とを紐付けする初期設定として、各前記子機と協働して、前記空調ユニットを動作させて各前記区域のうち一の区域について空調を行い前記一の区域の環境を変化させる環境変化処理と、各前記子機のうち前記環境情報取得部で取得した環境情報が変化した子機を特定する子機特定処理と、前記環境変化処理で空調を行なった前記一の区域を前記子機特定処理で特定された子機の設置区域に割り付ける区域割付処理と、を実行する。
【０００９】
すなわち、従来構成では、ユーザは、各子機とその子機の設置予定となる区域とを紐付した後に、その紐付された各区域に各子機を設置していた。つまり、従来構成では、ユーザが子機を各区域に持って行く場合には、既に子機と区域との紐付がされた状態である。そのため、ユーザが子機を誤って異なる区域に設置してしまう事態が生じ得た。一方、本構成では、各子機が各区域に設置された後に、各子機とその子機が実際に設置されている区域との紐付が行われる。したがって、各子機によって空調制御が行われる区域と実際にその子機が設置されている区域との対応関係の間違いが生じることを抑制できる。
【００１０】
更に、本構成によれば、従来構成と異なり、ユーザが子機を各区域に持って行く場合には、未だ子機と区域との紐付がされていない状態である。そのため、ユーザは、各子機と区域との対応関係を意識することなく、各子機をそれぞれ任意の区域に設置することができる。また、本構成によれば、親機によって自動で、各区域に設置されている子機が特定される。したがって、ユーザは、従来構成のように、初期設定をする際に、空調ユニットの制御区域を把握する必要がない。この結果、各子機の設置時つまり初期設定時の作業性の向上が図られて、ユーザの初期設定に要する手間を省くことができる。以上より、本構成によれば、初期設定において、ユーザの作業の手間を省くことができるとともに、各子機によって空調制御が行われる区域と実際にその子機が設置されている区域との対応関係の間違いを低減することができる。
【００１１】
（請求項２）
請求項２の全館空調システムにおいて、前記子機は、前記環境情報取得部として、温度センサ、気圧センサ、又は湿度センサの少なくともいずれか１つを有している。温度、気圧、及び湿度は、空調によって変化し易い環境情報である。このため、子機が、温度、気圧、又は湿度の少なくともいずれか１つを検出することで、子機は、環境変化処理によって生じた周囲の環境の変化をより正確に検出することができ、その結果、より正確な初期設定を行うことができる。
【００１２】
ちなみに、湿度に比べて、温度及び気圧の方が、空調による影響を受け易い。したがって、子機は、環境情報取得部として、温度センサ又は気圧センサの少なくともいずれか一方を有していることが好ましい。これによれば、子機が湿度センサのみを有している場合に比べて、更に正確な初期設定を行うことができる。
【００１３】
（請求項３）
ここで、各子機は、各区域に１台ずつ設置されることが前提であり、かつ、環境変化処理では、一の区域についてのみ空調を行う。それにも関わらず、子機特定処理において２台以上の子機が特定されるということは、その特定された複数の子機が、空調を行った同一の区域に設置されているか、または、空調を行っていない他の区域において、例えば扉や窓の開閉等が行われたことにより、空調以外の要因によって環境が変化したと考えられる。
【００１４】
更に、環境変化処理で一の区域について空調を行っているにも関わらず、子機特定処理において所定期間を経過しても１台の子機も特定されないということは、空調を行った区域に子機が設置されていないか、又は、空調を行っている区域において、例えば扉や窓が開いていることにより空調による空気が外部へ流出している等、空調による影響が出難くなっている状況であると考えられる。いずれにしろ、これらの場合には、各子機と各区域との１対１の対応関係は特定できないため、当該区域に対する子機の割付は失敗となる。
【００１５】
そこで、請求項３の全館空調システムにおいて、前記親機は、前記子機特定処理において２以上の子機を特定した場合又は所定期間を経過しても１つの子機も特定されない場合には、前記区域割付処理を行うことなく、前記環境変化処理において環境を変化させた区域について前記初期設定を再度行う。これによれば、何らかの要因によって、子機が設置された区域とその子機との紐付を特定できなかった場合には、親機は、再度自動で、その区域について初期設定を行う。これにより、初期設定が失敗した場合であっても、ユーザ自身が子機と区域との紐付を行う必要がなく、その結果、ユーザの手間を省くことができる。
【００１６】
（請求項４）
前記親機は、各前記子機から受信した前記環境情報の変化がすべて所定範囲内で安定したことを条件として前記初期環境記憶処理以降の処理を実行する。これによれば、空調ユニットによる空調以外の影響を極力排除した状態で、初期設定を行うことができる。したがって、より正確な初期設定を行うことができる。
【図面の簡単な説明】
【００１７】
【図１】一実施形態による全館空調システムの構成の一例を概略的に示す図
【図２】一実施形態による全館空調システムについて、各構成の相互関係を概略的に示す図
【図３】一実施形態による全館空調システムにおいて、子機の電気的構成を概略的に示すブロック図
【図４】一実施形態による全館空調システムにおいて、親機の電気的構成を概略的に示すブロック図
【図５】一実施形態による全館空調システムにおいて、初期設定の制御内容を示すフローチャート
【図６】一実施形態による全館空調システムにおいて、各区域の環境が安定している状態の一例を示す図
【図７】一実施形態による全館空調システムにおいて、環境変化処理を実行した場合の一例を示す図
【図８】一実施形態による全館空調システムにおいて、各子機が取得した環境情報が安定した状態の一例を示す図
【図９】一実施形態による全館空調システムにおいて、子機特定処理で２台の子機が特定される場合における環境情報の変化率の一例を示す図
【図１０】一実施形態による全館空調システムにおいて、子機特定処理で子機が特定されない場合における環境情報の変化率の一例を示す図
【図１１】一実施形態による全館空調システムにおいて、子機と区域との割り付け状態の一例を示す図
【図１２】一実施形態による全館空調システムにおいて、各子機から親機へ送信される信号を概念的に示す図
【図１３】他の実施形態による全館空調システムにおいて、各子機から親機へ送信される信号を概念的に示す図
【発明を実施するための形態】
【００１８】
以下、一実施形態について図面を参照しながら説明する。
図１に示す全館空調システム１０は、家屋１００に設けられている。家屋１００は、複数の区域を有している。この区域は、リビングや寝室等の居室に限られず、浴室や便所、玄関や吹き抜け等を含めていても良い。本実施形態では、説明の簡単化のため、４つの区域１〜４を有する家屋１００を例に説明するが、区域の数やその構成つまり部屋数やその構成はこの家屋１００のものに限定されない。
【００１９】
全館空調システム１０は、家屋１００内の複数の区域、この場合４つの区域１〜４を１つの空調ユニット２０によって空調するものである。本実施形態において、全館空調システム１０は、空調ユニット２０、空調ダクト１１１〜１１４、リモコン親機３０（以下、親機３０と称する）、及びリモコン子機４０（以下、子機４０と称する）を備えている。
【００２０】
空調ユニット２０は、例えば図１に示す室内機２１と図示しない室外機とを有するヒートポンプなどの周知の熱交換器によって構成されている。空調ユニット２０は、各区域１〜４を空調の制御区域としている。各空調ダクト１１１〜１１４は、各区域１〜４に対応して設けられており、それぞれ空調ユニット２０の室内機２１と各区域１〜４とを接続している。空調ユニット２０は、複数、この場合４つの開閉弁２２１〜２２４を有している。各開閉弁２２１〜２２４は、各区域１〜４に対応しており、各空調ダクト１１１〜１１４の途中または端部にそれぞれ設けられており、各空調ダクト１１１〜１１４を開閉する。
【００２１】
空調ユニット２０は、例えば次のようにして、各区域１〜４の空気調和を行う。すなわち、空調ユニット２０は、各区域１〜４内の空気つまり内気を取り込み、その内気を室内機２１により熱交換するとともに、図示しないフィルタを通して家屋１００の外部から外気を取り込む。そして、空調ユニット２０は、熱交換された内気と外気とを混合し、これにより湿度及び温度を調整して空気調和が行われた空気を生成する。そして、空調ユニット２０は、各開閉弁２２１〜２２４を開閉制御することで、各区域１〜４に対して空気調和が行われた空気を選択的に供給する。このようにして、空調ユニット２０は、各区域１〜４に対して、空気調和を行う。
【００２２】
また、空調ユニット２０は、各区域１〜４について、それぞれ空調目標温度を設定可能である。この場合、空調ユニット２０は、各区域１〜４の室内温度と空調目標温度との差に応じて開閉弁２２１〜２２４の開閉及び開度をそれぞれ調整し、各区域１〜４へ供給する空気量を調整する。これにより、空調ユニット２０は、各区域１〜４の室内温度を、設定された空調目標温度に保持する。このように、空調ユニット２０は、各区域１〜４に対して個別に空調が可能に構成されている。
【００２３】
本実施形態において、空調ユニット２０は、図２に示すように、１台の親機３０と、各区域１〜４の数に対応した４台の子機４０とを備えている。なお、以下の説明において、各子機４０を区別する場合には、子機４０（Ａ）、子機４０（Ｂ）、子機４０（Ｃ）、子機４０（Ｄ）と示す。各子機４０（Ａ）〜（Ｄ）は、それぞれ重複しないように設定された特有の識別ＩＤを有している。
【００２４】
本実施形態の場合、４台の子機４０のうち１台は、親機３０内に組み込まれている。すなわち、４台の子機４０のうち子機４０（Ａ）は、親機３０と兼用している。各子機４０は、親機３０と無線又は有線によって通信可能に構成されている。親機３０は、各区域１〜４のうち任意の区域に設置される。親機３０に内臓された子機４０（Ａ）以外の子機（Ｂ）〜（Ｄ）は、親機３０及び子機４０（Ａ）が設置されていない区域に１台ずつ設置される。各子機４０は、ユーザから空調目標温度等の設定内容が入力され、その入力された設定内容を親機３０に送信する。
【００２５】
親機３０は、空調ユニット２０と通信可能に構成されており、各子機４０から受信した空調目標温度等の設定内容を、空調ユニット２０に対して送信する。これにより、親機３０は、空調ユニット２０に対して、各区域１〜４の空調に関する制御内容を指示する。そして、空調ユニット２０は、親機３０から受信した制御内容に従って、各区域１〜４に対する空調を行う。
【００２６】
子機４０は、図３に示すように、温度センサ４１、気圧センサ４２、湿度センサ４３、操作部４４、表示部４５、通信部４６、及び制御部４７を有している。温度センサ４１は、子機４０の周囲の温度、すなわち子機４０が設置された区域の温度を検出する。気圧センサ４２は、子機４０の周囲の気圧、すなわち子機４０が設置された区域の気圧を検出する。湿度センサ４３は、子機４０の周囲の湿度、すなわち子機４０が設置された区域の湿度を検出する。これら温度センサ４１、気圧センサ４２、及び湿度センサ４３は、子機４０の周囲の環境情報、つまり子機４０が設置された区域の環境情報としてその区域の温度や気圧及び湿度等を取得する環境情報取得部として機能する。
【００２７】
操作部４４は、ユーザからの入力操作を受け付けるもので、例えば機械的なスイッチや、電気的なタッチスイッチ等によって構成されている。表示部４５は、例えば液晶パネル等であって、ユーザからの入力内容や現在の設定内容、センサ４１〜４３によって検出された子機４０の周囲の環境情報等、各種情報を表示する。通信部４６は、親機３０に対して無線又は有線通信を行う機能を有しており、親機３０に対して、各センサ４１〜４３の検出結果や、操作部４４によって入力された設定情報等を送信する。
【００２８】
制御部４７は、例えばＣＰＵ４７１や、ＲＯＭ、ＲＡＭ、及び書き換え可能なフラッシュメモリなどの記憶領域４７２を有するマイクロコンピュータを主体に構成されており、子機４０の全体の制御を司っている。すなわち、制御部４７は、温度センサ４１、気圧センサ４２、湿度センサ４３、操作部４４、表示部４５、及び通信部４６の動作を制御する。
【００２９】
親機３０は、図４に示すように、子機４０の機能として、温度センサ４１、気圧センサ４２、湿度センサ４３、操作部４４、及び表示部４５を有している。また、親機３０は、制御部３１を有している。制御部３１は、例えばＣＰＵ３１１や、ＲＯＭ、ＲＡＭ、及び書き換え可能なフラッシュメモリなどの記憶領域３１２を有するマイクロコンピュータを主体に構成されており、親機３０及び空調ユニット２０の全体の制御を司っている。この場合、親機３０は、例えば通信線によって、空調ユニット２０に通信可能に接続されている。なお、親機３０は、無線通信によって空調ユニット２０と通信可能に接続されていても良い。
【００３０】
記憶領域３１２は、空調ユニット２０を制御するための各種制御プログラムや、初期設定を行うための初期設定プログラムを記憶している。初期設定プログラムは、各子機４０（Ａ）〜（Ｄ）の操作によって空調制御が行われる区域と、実際にその子機４０（Ａ）〜（Ｄ）が設置されている区域１〜４との対応関係を設定するためのプログラムである。親機３０は、初期設定を行うことにより、各子機４０と、各子機４０が実際に設置されている各区域１〜４とを紐付けして記憶する。
【００３１】
すなわち、制御部３１は、ＣＰＵ３１１において初期設定プログラムを実行することにより、初期環境記憶処理部３２、環境変化処理部３３、子機特定処理部３４、及び区域割付処理部３５等を、ソフトウェア的に実現する。なお、これら初期環境記憶処理部３２、環境変化処理部３３、子機特定処理部３４、及び区域割付処理部３５等は、例えば制御部３１と一体の集積回路としてハードウェア的に実現してもよい。これら初期環境記憶処理部３２、環境変化処理部３３、子機特定処理部３４、及び区域割付処理部３５は、親機３０としての機能を構成する。
【００３２】
初期環境記憶処理部３２は、初期環境記憶処理を実行する。初期環境記憶処理は、各子機４０から取得した現在の環境情報を初期環境情報として記憶する、又は各子機４０に記憶させる処理である。環境変化処理部３３は、環境変化処理を実行する。環境変化処理は、初期環境記憶処理の後に実行されるもので、空調ユニット２０を動作させて各区域１〜４のうち一の区域について空調を行いその一の区域の環境つまり温度、気圧、又は湿度の少なくともいずれか１つを変化させる処理である。
【００３３】
子機特定処理部３４は、子機特定処理を実行する。子機特定処理は、環境変化処理の後に実行されるもので、各子機４０のうち、環境情報取得部で取得した環境情報つまり温度センサ４１で検出された気温、気圧センサ４２で検出された気圧、又は湿度センサ４３で検出された湿度のいずれかが変化した子機を特定する。そして、区域割付処理部３５は、区域割付処理を実行する。区域割付処理は、子機特定処理の後に実行されるもので、環境変化処理で空調を行なった一の区域を、子機特定処理で特定された子機の設置区域に割り付ける処理である。
【００３４】
具体的には、親機３０は、初期設定の際に図５に示す制御内容を実行する。この初期設定は、例えばユーザが親機３０の操作部４４に対して所定の操作を行うことで開始される。なお、初期設定が実行される際には、各子機４０は、図１に示すように、既に各区域１〜４に設置されているものとする。また、初期設定が実行される際には、空調ユニット２０は動作していないものとする。
【００３５】
親機３０は、初期設定が開始されると、まず、図５に示すステップＳ１１において、区域数Ｎを設定する。区域数Ｎの設定は、例えばユーザが、親機３０の操作部４４を操作して、全館空調システム１０の対象とする家屋１００の区域１〜４の数、この場合「４」を入力することで行う。
【００３６】
次に、親機３０は、ステップＳ１２において、割付の対象とする区域を区域（Ｎ）に設定する。Ｎは変数であり、区域の数この場合「４」が最大値である。区域（Ｎ）は、子機４０を１台割り付ける度に変更される。この場合、親機３０は、区域４、区域３、区域２、区域１の順に、各子機４０の割付を行っていく。
【００３７】
親機３０は、ステップＳ１３において、各子機４０から、各センサ４１、４２、４３の検出結果を受信する。これにより、親機３０は、各子機４０が設置されている区域１〜４の環境情報、つまり温度、気圧、及び湿度を取得する。この場合、親機３０は、各子機４０に対して、各センサ４１、４２、４３の検出結果を送信するように要求しても良い。また、各子機４０の電源が投入された場合に、各子機４０から自動的に各センサ４１、４２、４３の検出結果を親機３０に送信するようにしても良い。
【００３８】
次に、親機３０は、ステップＳ１４において、ステップＳ１３で取得した各区域１〜４の環境情報が、一定範囲内において安定しているか否かを判断する。親機３０は、ある区域の環境情報について、例えば図６に示すように所定期間中の環境情報例えば温度の変化率がΔＴ１未満である場合は、その区域の環境が安定していると判断する。親機３０は、各区域１〜４のうち１つでも環境が安定していない区域があれば（図５のステップＳ１４でＮＯ）、全ての区域１〜４の環境が安定するまで待機する。この場合、環境が安定したか否かの判断は、環境情報として温度、気圧、及び湿度の少なくともいずれか１つを用いればよいが、これらを組み合わせて用いても良い。
【００３９】
そして、親機３０は、各区域１〜４の環境が安定したと判断すると（ステップＳ１４でＹＥＳ）、ステップＳ１５において、初期環境記憶処理を実行する。これにより、親機３０は、各区域１〜４の初期の環境情報つまり空調ユニット２０が動作していない状態の初期の環境情報を記憶する。なお、親機３０は、各子機４０の初期の環境情報を自身が記憶せずに、各子機４０に記憶させても良い。
【００４０】
次に、親機３０は、ステップＳ１６において、環境変化処理を実行する。この場合、例えば割付対象の区域が区域１であれば、親機３０は、区域１の空調を行うように空調ユニット２０を制御する。すると、空調ユニット２０は、図７に示すように、区域１に対応した開閉弁２２１を開き、区域１に対して空気調和が行われた空気を供給する。これにより、空調が行われた区域１の環境つまり温度、気圧、及び湿度が変化する。
【００４１】
次に、親機３０は、ステップＳ１７において、子機特定処理を実行する。これにより、周囲の環境が変化した子機４０を特定する。この場合、ステップＳ１５の初期環境記憶処理において、初期の環境情報を親機３０が記憶する構成であれば、親機３０は、次のようにして子機４０を特定することができる。
【００４２】
すなわち、この場合、親機３０は、子機４０の特定に用いるための閾値ΔＴ２を設定しておく。閾値ΔＴ２は、例えば初期環境情報処理で記憶された初期の環境情報に対する現在の環境情報の変化率の閾値である。親機３０は、例えば初期設定の開始後、各子機４０から環境情報を随時又は定期的に取得する。そして、親機３０は、その取得した現在の環境情報と、初期環境記憶処理で記憶した初期の環境情報とを比較し、図８に示すように、環境情報の変化率が閾値ΔＴ２を超えた子機４０を検出することで、周囲の環境が変化した子機４０を特定する。
【００４３】
また、ステップＳ１５の初期環境記憶処理において、初期の環境情報を各子機４０が記憶する構成であれば、親機３０は、次のようにして子機４０を特定することができる。すなわち、親機３０は、各子機４０に対し、各子機４０で共通の閾値ΔＴ２を設定する。子機４０は、例えば初期設定の開始後、各センサ４１〜４３によって環境情報を随時又は定期的に取得する。そして、子機４０は、その取得した現在の環境情報と、初期環境記憶処理で記憶した初期の環境情報とを比較し、図８に示すように、環境情報の変化率が閾値ΔＴ２を超えた場合には、親機３０に対してその旨つまり変化率が閾値ΔＴ２を超えたことを示す信号を送信する。親機３０は、子機４０から、変化率が閾値ΔＴ２を超えた旨の信号を受信した場合に、その信号を発信した子機４０を特定する。
【００４４】
次に、親機３０は、図５のステップＳ１８において、ステップＳ１７で特定した子機４０が１台であるか否かを判断する。すなわち、親機３０は、ステップＳ１７の子機特定処理で２台以上の子機４０が特定されていないか、及び所定期間を経過しても子機４０が１台も特定できていないか否かを判断する。
【００４５】
ここで、各子機４０は、各区域１〜４に１台ずつ設置されることが前提であり、かつ、ステップＳ１６の環境変化処理では、一の区域についてのみ空調を行っている。それにも関わらず、ステップＳ１７の子機特定処理において２台以上の子機が特定されるということ、すなわち例えば図９に示すように、２台以上の子機４０についてその周囲の環境情報の変化率が閾値ΔＴ２を超えて変化したということは、その特定された複数の子機４０が、空調を行った同一の区域に設置されているか、または、空調を行っていない他の区域において、例えば扉や窓が開いていることにより外気が侵入している等、空調以外の要因によって環境が変化していると考えられる。
【００４６】
更に、一の区域について空調を行っているにも関わらず、ステップＳ１７の子機特定処理において１台の子機も特定されないということ、すなわち例えば図１０に示すように、全ての子機４０において、周囲の環境情報の変化率が閾値ΔＴ２を超えていないということは、空調を行った区域にいずれの子機４０も設置されていないか、または、空調を行っている区域において、例えば扉や窓が開いていることにより外気が侵入している等、空調以外の要因によって環境が変化していると考えられる。いずれにしろ、各子機４０と各区域１〜４との１対１の対応関係は特定できないため、当該区域に対する子機４０の割付は失敗となる。
【００４７】
そのため、図５のステップＳ１７において特定された子機４０の台数が１台以外の場合（ステップＳ１８でＮＯ）、親機３０は、ステップＳ２３において、空調ユニット２０を制御して、ステップＳ１６の環境変化処理で行った一の区域に対する個別の空調を停止する。その後、親機３０は、ステップＳ２４に示すように、親機３０及び子機４０の表示部４５に、注意表示を行う。この注意表示は、例えば各区域１〜４において、窓や扉が閉じられているか、また、他の冷暖房機器が使用されていないか等、空調ユニット２０による空調の影響以外の影響を極力排除するように促すための表示である。
【００４８】
その後、親機３０は、ステップＳ１３へ処理を戻す。これにより、親機３０は、ステップＳ１９の区域割付処理を行うことなく、ステップＳ１６の環境変化処理において環境を変化させた区域つまり子機４０の割付の対象となっている区域について、再度、初期設定を行う。
【００４９】
一方、ステップＳ１７において特定された子機４０が１台である場合（ステップＳ１８でＹＥＳ）、親機３０は、ステップＳ１９において、区域割付処理を実行する。これにより、親機３０は、ステップＳ１６の環境変化処理で個別に空調を行なった一の区域を、ステップＳ１７の子機特定処理で特定された子機４０の設置区域に割り付ける。次に、親機３０は、ステップＳ２０において、空調ユニット２０を制御して、ステップＳ１６の環境変化処理で行った一の区域に対する個別の空調を停止する。
【００５０】
次に、親機３０は、ステップＳ２１において、区域数Ｎを１減算し、割り付けの対象とする区域を変更する。親機３０は、区域数Ｎが０になるまでステップＳ１２〜Ｓ２２を繰り返し、図１１に示すように、全ての区域１〜４について、対応する子機４０（Ａ）〜（Ｄ）を割り付ける。そして、区域数Ｎが０になると（図５のステップＳ２２でＹＥＳ）、親機３０は、全ての区域１〜４について子機４０の割り付けが終了したと判断し、一連の処理を終了する（エンド）。
【００５１】
ちなみに、本実施形態の場合、各区域１〜４に対する各子機４０の割り付け結果は、図１２に示すように、親機３０の記憶領域３１２に記憶される。この場合、各子機４０は、それぞれ各子機４０に特有の識別ＩＤを有している。ユーザが子機４０を操作すると、操作を受けた子機４０は、入力された操作指令とともに自己の識別ＩＤを親機３０へ送信する。そして、親機３０は、受信した操作指令に基づき、受信した識別ＩＤに割り付けられた区域１〜４について空調制御を行う。
【００５２】
以上説明した実施形態によれば、親機３０は、各子機４０と各子機４０が設置された各区域１〜４とを紐付けする初期設定として、各子機４０と協働して、初期環境記憶処理と、環境変化処理と、子機特定処理と、区域割付処理と、を順次実行する。これによれば、各子機４０（Ａ）〜（Ｄ）が各区域１〜４に設置された後に、各子機４０（Ａ）〜（Ｄ）とその子機４０（Ａ）〜（Ｄ）が実際に設置されている区域１〜４との紐付が行われる。したがって、各子機４０（Ａ）〜（Ｄ）によって空調制御が行われる区域１〜４と、実際にその子機４０（Ａ）〜（Ｄ）が設置されている区域１〜４との対応関係の間違いが生じることがない。
【００５３】
更に、本実施形態によれば、ユーザが子機４０（Ａ）〜（Ｄ）を各区域１〜４に持って行く場合には、未だ各子機４０（Ａ）〜（Ｄ）と各区域１〜４との紐付がされていない状態である。そのため、ユーザは、各子機４０（Ａ）〜（Ｄ）と各区域１〜４との対応関係を意識することなく、各子機４０（Ａ）〜（Ｄ）をそれぞれ任意の区域１〜４に設置することができる。
【００５４】
また、本実施形態によれば、親機３０によって自動で、各区域１〜４に設置されている子機４０（Ａ）〜（Ｄ）が特定される。したがって、ユーザは、初期設定をする際に、空調ユニット２０の制御区域を把握する必要がない。この結果、各子機４０（Ａ）〜（Ｄ）の設置時つまり初期設定時の作業性の向上が図られて、ユーザの初期設定に要する手間を省くことができる。以上より、本実施形態によれば、初期設定において、ユーザの作業の手間を省くことができるとともに、各子機４０（Ａ）〜（Ｄ）によって空調制御が行われる区域１〜４、と実際にその子機４０（Ａ）〜（Ｄ）が設置されている区域１〜４との対応関係の間違いを低減することができる。
【００５５】
また、全館空調システム１０において、子機４０（Ａ）〜（Ｄ）は、環境情報取得部として、温度センサ４１、気圧センサ４２、又は湿度センサ４３の少なくともいずれか１つを有している。温度、気圧、及び湿度は、空調によって変化し易い環境情報である。このため、子機４０（Ａ）〜（Ｄ）が、温度、気圧、又は湿度の少なくともいずれか１つを検出することで、子機４０（Ａ）〜（Ｄ）は、環境変化処理によって生じた周囲の環境の変化をより正確に検出することができ、その結果、より正確な初期設定を行うことができる。
【００５６】
ちなみに、湿度に比べて、温度及び気圧の方が、空調による影響を受け易い。したがって、子機４０（Ａ）〜（Ｄ）は、環境情報取得部として、温度センサ４１又は気圧センサ４２の少なくともいずれか一方を有していることが好ましい。これによれば、子機４０（Ａ）〜（Ｄ）が湿度センサ４３のみを有している場合に比べて、更に正確な初期設定を行うことができる。
【００５７】
また、親機３０は、図５のステップＳ１７の示す子機特定処理において２以上の子機を特定した場合又は所定期間を経過しても１つの子機も特定されない場合には、ステップＳ１９の区域割付処理を行うことなく、ステップＳ１６の環境変化処理において環境を変化させた区域（Ｎ）について初期設定を再度行う。これによれば、何らかの要因によって、子機４０（Ａ）〜（Ｄ）が設置された区域１〜４とその子機４０（Ａ）〜（Ｄ）との紐付を特定できなかった場合には、親機３０は、再度自動で、その区域１〜４について初期設定を行う。これにより、初期設定が失敗した場合であっても、ユーザ自身が子機４０（Ａ）〜（Ｄ）と区域１〜４との紐付を行う必要がなく、その結果、ユーザの手間を省くことができる。
【００５８】
また、親機３０は、子機４０（Ａ）〜（Ｄ）から受信した環境情報の変化がすべて所定範囲内で安定したことを条件として、図５のステップＳ１５に示す初期環境記憶処理以降の処理を実行する。これによれば、空調ユニット２０による空調以外の影響を極力排除した状態で、初期設定を行うことができる。したがって、より正確な初期設定を行うことができる。
【００５９】
なお、本発明の実施形態は、上記し又図面に記載した態様に限定されるものではなく、その要旨を逸脱しない範囲で種々の変形や拡張をすることができる。
例えば、上記実施形態において、子機４０（Ａ）は、親機３０に内蔵されている構成としたが、子機４０（Ａ）及び親機３０は別体に構成しても良い。
【００６０】
また、上記実施形態において、初期設定は、全ての区域１〜４について図５のステップＳ１６に示す環境変化処理を行うように構成されている。しかし、これに限られず、例えば対象区域Ｎ＝１となった場合、つまり割付が行われていない区域の数が１になった場合に、残りの１つの区域を、残りの１台の子機４０に割り付ける構成でも良い。これによれば、環境変化処理を行う区域の数を１つ減らせることができる。したがって、初期設定に要する時間を短縮することができる。
【００６１】
また、上記実施形態において、親機３０は、各子機４０（Ａ）〜（Ｄ）と各区域１〜４とを紐付した結果を記憶し、各子機４０は、入力された操作指令とともに自己の識別ＩＤを親機３０へ送信するように構成されている。しかし、これに限られず、例えば図１３のように構成しても良い。すなわち、図１３の例において、各子機４０は、それぞれ紐付された自己の担当区域１〜４を記憶する。この場合、ユーザによって子機４０に操作が入力されると、その入力を受けた子機４０は、入力された操作指令とともに自己の担当区域１〜４に関する情報を親機３０へ送信する。そして、親機３０は、受信した操作指令に基づき、受信した区域１〜４について空調制御を行う。これによっても、上記実施形態と同様の作用効果が得られる。
【符号の説明】
【００６２】
図面中、１０は全館空調システム、２０は空調ユニット、３０は親機、４０は子機、４１は温度センサ（環境情報取得部）、４２は気圧センサ（環境情報取得部）、４３は湿度センサ（環境情報取得部）、を示す。
【図１】
2019015460.tif 000003
【図２】
2019015460.tif 000004
【図３】
2019015460.tif 000005
【図４】
2019015460.tif 000006
【図５】
2019015460.tif 000007
【図６】
2019015460.tif 000008
【図７】
2019015460.tif 000009
【図８】
2019015460.tif 000010
【図９】
2019015460.tif 000011
【図１０】
2019015460.tif 000012
【図１１】
2019015460.tif 000013
【図１２】
2019015460.tif 000014
【図１３】
2019015460.tif 000015